(57)【要約】【課題】スキャンミスの修正を一括で修正することが可能な画像形成装置、方法およびプログラムを提供する。【解決手段】スキャンデータ処理部１１はスキャンミス条件記憶部８からスキャンミス条件を読み出し、スキャンデータからスキャンミス条件が検知されるか否か解析し、スキャンデータからスキャンミス条件を検知した場合、マーカー処理手段２０はマーカー条件記憶部９から読み出したマーカー条件に基づいてスキャンデータに対して要再スキャンを示すマーカーを付加し、スキャンデータ記憶制御手段２１はマーカーを付加したスキャンデータをスキャンデータ記憶部１２に記憶保持し、プレビュー生成部１３はマーカーを付加したスキャンデータのプレビュー用画像を生成してプレビュー表示手段１７に表示する。【選択図】図２
2005268906.tif 000002
【特許請求の範囲】
【請求項１】
画像読取装置で読取処理した読取画像に対して画像形成を実施する画像形成装置において、
前記読取画像の読取処理の不具合条件を設定する読取処理不具合条件設定手段と、
前記読取処理不具合条件設定手段で設定した読取処理の不具合条件を記憶保持する読取処理不具合条件記憶手段と、
前記読取画像から前記読取処理の不具合条件を検知した際に該読取画像に付加する付加情報の条件を設定する付加情報条件設定手段と、
前記付加情報条件設定手段で設定した付加情報の条件を記憶保持する付加情報条件記憶手段と、
前記読取画像から前記読取処理不具合条件記憶手段に記憶保持した読取処理の不具合条件が検知されるか否か解析する読取画像解析手段と、
前記読取画像解析手段で読取画像から前記読取処理の不具合条件を検知した際に、前記付加情報条件記憶手段に記憶保持した付加情報の条件に基づいて該読取画像に前記付加情報を付加する付加情報付加手段と、
前記読取画像および前記付加情報を付加した読取画像の読取画像記憶手段への記憶制御を実施する読取画像記憶制御手段と、
前記読取画像記憶手段に記憶保持した読取画像および前記付加情報を付加した読取画像のプレビュー用の画像を生成するプレビュー生成手段と、
前記プレビュー生成手段で生成したプレビュー用の画像を表示するプレビュー表示手段と、
前記プレビュー表示手段に表示されたプレビュー用の画像に基づき、前記画像読取装置での再読取処理を実施する前記読取処理の不具合条件を検知した読取画像を決定する再読取処理決定手段と
を具備することを特徴とする画像形成装置。
【請求項２】
前記読取画像解析手段は
前記再読取処理決定手段で再読取処理を決定した読取画像の原稿を前記画像読取装置で再読取処理した再読取画像から前記読取処理不具合条件記憶手段に記憶保持した読取処理の不具合条件が検知されるか否か解析し、
前記付加情報処理手段は、
前記読取画像解析手段で再読取画像から前記読取処理の不具合条件を検知しなかった際に、該再読取画像に該読取処理の不具合条件を検知しなかったことを示す付加情報を付加し、
前記読取画像記憶制御手段は、
前記付加情報処理手段で前記読取処理の不具合条件を検知しなかったことを示す付加情報を付加した再読取画像を前記再読取処理決定手段で決定した読取画像と差し替えて読取画像記憶手段に記憶保持する
ことを特徴とする請求項１記載の画像形成装置。
【請求項３】
前記付加情報処理手段は、
前記読取処理の不具合条件を検知しなかったことを示す付加情報を前記再読取画像とは異なる情報として付加する
ことを特徴とする請求項２記載の画像形成装置。
【請求項４】
前記付加情報条件設定手段は、
前記読取画像に前記付加情報を付加する条件となる前記読取処理の不具合条件、該付加情報の形態および該読取画像に該付加情報を付加する位置を設定する
ことを特徴とする請求項１記載の画像形成装置。
【請求項５】
画像読取装置で読取処理した読取画像に対して画像形成を実施する画像形成装置において、
前記読取画像の読取処理の不具合条件を設定する読取処理不具合条件設定手段と、
前記読取処理不具合条件設定手段で設定した読取処理の不具合条件を記憶保持する読取処理不具合条件記憶手段と、
前記読取画像から前記読取処理の不具合条件を検知した際に該読取画像の排出先を指定する排出先指定設定手段と、
前記排出先指定設定手段で設定した排出先を記憶保持する排出先指定記憶手段と、
前記読取画像から前記読取処理不具合条件記憶手段に記憶保持した読取処理の不具合条件が検知されるか否か解析する読取画像解析手段と、
前記読取画像解析手段で読取画像から前記読取処理の不具合条件を検知した際に、前記排出先指定記憶手段に記憶保持した排出先に該読取画像を排出するように指定する排出先指定手段と
を具備することを特徴とする画像形成装置。
【請求項６】
前記排出先指定設定手段は、
前記読取画像を前記排出先に指定する条件となる前記読取処理の不具合条件を設定する
ことを特徴とする請求項５記載の画像形成装置。
【請求項７】
画像読取装置で読取処理した読取画像に対して画像形成を実施する画像形成方法において、
前記読取画像の読取処理の不具合条件を設定して記憶保持し、
前記読取画像から前記読取処理の不具合条件を検知した際に該読取画像に付加する付加情報の条件を設定して記憶保持し、
前記読取画像から前記読取処理の不具合条件が検知されるか否か解析し、
前記解析により前記読取画像から前記読取処理の不具合条件を検知した際に、前記付加情報の条件に基づいて該読取画像に前記付加情報を付加し、
前記読取画像および前記付加情報を付加した読取画像を読取画像記憶手段に記憶保持し、
該記憶保持した読取画像および付加情報を付加した読取画像のプレビュー用の画像を生成し、
該生成したプレビュー用の画像を表示し、
該表示されたプレビュー用の画像に基づき、前記画像読取装置での再読取処理を実施する前記読取処理の不具合条件を検知した読取画像を決定する
ことを特徴とする画像形成方法。
【請求項８】
再読取処理を決定した読取画像の原稿を前記画像読取装置で再読取処理した再読取画像から前記読取処理の不具合条件が検知されるか否か解析し、
前記解析により前記再読取画像から前記読取処理の不具合条件を検知しなかった際に、該再読取画像に該読取処理の不具合条件を検知しなかったことを示す付加情報を付加し、
前記読取処理の不具合条件を検知しなかったことを示す付加情報を付加した再読取画像を前記画像読取装置での再読取処理を決定した読取画像と差し替えて読取画像記憶手段に記憶保持する
ことを特徴とする請求項７記載の画像形成方法。
【請求項９】
前記読取処理の不具合条件を検知しなかったことを示す付加情報を前記再読取画像とは異なる情報として付加する
ことを特徴とする請求項８記載の画像形成方法。
【請求項１０】
前記付加情報の条件を設定する際に、
前記読取画像に前記付加情報を付加する条件となる前記読取処理の不具合条件、該付加情報の形態および該読取画像に該付加情報を付加する位置を設定する
ことを特徴とする請求項７記載の画像形成方法。
【請求項１１】
画像読取装置で読取処理した読取画像に対して画像形成を実施する画像形成方法において、
前記読取画像の読取処理の不具合条件を設定して記憶保持し、
前記読取画像から前記読取処理の不具合条件を検知した際に該読取画像の排出先を指定して記憶保持し、
前記読取画像から前記読取処理の不具合条件が検知されるか否か解析し、
前記解析により前記読取画像から前記読取処理の不具合条件を検知した際に、前記排出先に該読取画像を排出するように指定する
ことを特徴とする画像形成方法。
【請求項１２】
前記排出先を指定する際に、
前記読取画像を前記排出先に指定する条件となる前記読取処理の不具合条件を設定する
ことを特徴とする請求項１１記載の画像形成方法。
【請求項１３】
画像読取装置で読取処理した読取画像に対して画像形成を実施する画像形成プログラムにおいて、
前記読取画像の読取処理の不具合条件を設定して記憶保持する処理と、
前記読取画像から前記読取処理の不具合条件を検知した際に該読取画像に付加する付加情報の条件を設定して記憶保持する処理と、
前記読取画像から前記読取処理の不具合条件が検知されるか否か解析する処理と、
前記解析により前記読取画像から前記読取処理の不具合条件を検知した際に、前記付加情報の条件に基づいて該読取画像に前記付加情報を付加する処理と、
前記読取画像および前記付加情報を付加した読取画像の読取画像記憶手段への記憶制御を実施する処理と、
該記憶保持した読取画像および前記付加情報を付加した読取画像のプレビュー用の画像を生成する処理と、
該生成したプレビュー用の画像を表示する処理と、
該表示されたプレビュー用の画像に基づき、前記画像読取装置での再読取処理を実施する前記読取処理の不具合条件を検知した読取画像を決定する処理と
をコンピュータに動作させることを特徴とする画像形成プログラム。
【請求項１４】
前記再読取処理を決定した読取画像の原稿を前記画像読取装置で再読取処理した再読取画像から前記読取処理の不具合条件が検知されるか否か解析する処理と、
前記解析により前記再読取画像から前記読取処理の不具合条件を検知しなかった際に、該再読取画像に該読取処理の不具合条件を検知しなかったことを示す付加情報を付加する処理と、
前記読取処理の不具合条件を検知しなかったことを示す付加情報を付加した再読取画像を前記画像読取装置での再読取処理を決定した読取画像と差し替えて読取画像記憶手段に記憶保持する処理と
をコンピュータに動作させることを特徴とする請求項１３記載の画像形成プログラム。
【請求項１５】
前記読取処理の不具合条件を検知しなかったことを示す付加情報を前記再読取画像とは異なる情報として付加する処理
をコンピュータに動作させることを特徴とする請求項１４記載の画像形成プログラム。
【請求項１６】
前記付加情報の条件を設定する際に、
前記読取画像に前記付加情報を付加する条件となる前記読取処理の不具合条件、該付加情報の形態および該読取画像に該付加情報を付加する位置を設定する処理
をコンピュータに動作させることを特徴とする請求項１３記載の画像形成プログラム。
【請求項１７】
画像読取装置で読取処理した読取画像に対して画像形成を実施する画像形成プログラムにおいて、
前記読取画像の読取処理の不具合条件を設定して記憶保持する処理と、
前記読取画像から前記読取処理の不具合条件を検知した際に該読取画像の排出先を指定して記憶保持する処理と、
前記読取画像から前記読取処理の不具合条件が検知されるか否か解析する処理と、
前記解析により前記読取画像から前記読取処理の不具合条件を検知した際に、前記排出先に該読取画像を排出するように指定する処理と
をコンピュータに動作させることを特徴とする画像形成プログラム。
【請求項１８】
前記排出先指定を設定する際に、
前記読取画像を前記排出先に指定する条件となる前記読取処理の不具合条件を設定する処理
をコンピュータに動作させることを特徴とする請求項１７記載の画像形成プログラム。
【発明の詳細な説明】
【技術分野】
【０００１】
本発明は、画像形成装置、方法およびプログラムに関し、特に、スキャナが読み取ったスキャナデータの画像形成を行う画像形成装置、方法およびプログラムに関する。
【背景技術】
【０００２】
近年、デジタルカラー複写機の高画質化・高機能化が進み、出力画像の色味や編集処理に関してユーザの期待に答えられるようになってきているものの、所望の出力画像を得る為に、何度も記録用紙に画像を出力しなければならない場合が多くなり、時間的にもコスト的にも効率が悪かった。
【０００３】
そこで、時間的およびコスト的な無駄を省くために、処理後の画像を記録用紙に出力せずに、液晶ディスプレイ等の表示装置に表示させることにより画像の確認をするプレビュー機能を有する画像形成装置が提案され、製品化されている。
【０００４】
例えば、従来のプレビュー機能に、過去にプレビューした画像も読み出せる機能を付加することで微妙に異なった設定を行った画像同志の比較が容易に且つペーパーレスでできるようになり、所望の画像を得るために負荷が軽減される画像形成システムがある（例えば、特許文献１参照。）。
【０００５】
つまり、様々なスキャンミスの対処方法はプレビュー等のフィードバックによるオンデマンド対応がほとんどである。
【特許文献１】特開２００２−２３２６８４号公報
【発明の開示】
【発明が解決しようとする課題】
【０００６】
しかし、オンデマンド対応では、スキャンミスの警告を解除するまで次の処理に進めなかったり、ユーザが常に当該警告を意識して待つ必要があり、このような形態では作業効率が悪いという問題がある。
【０００７】
そこで、本発明は、スキャンミスの修正を一括で修正することが可能な画像形成装置、方法およびプログラムを提供することを目的とする。
【課題を解決するための手段】
【０００８】
上記目的を達成するため、請求項１の発明は、画像読取装置で読取処理した読取画像に対して画像形成を実施する画像形成装置において、前記読取画像の読取処理の不具合条件を設定する読取処理不具合条件設定手段と、前記読取処理不具合条件設定手段で設定した読取処理の不具合条件を記憶保持する読取処理不具合条件記憶手段と、前記読取画像から前記読取処理の不具合条件を検知した際に該読取画像に付加する付加情報の条件を設定する付加情報条件設定手段と、前記付加情報条件設定手段で設定した付加情報の条件を記憶保持する付加情報条件記憶手段と、前記読取画像から前記読取処理不具合条件記憶手段に記憶保持した読取処理の不具合条件が検知されるか否か解析する読取画像解析手段と、前記読取画像解析手段で読取画像から前記読取処理の不具合条件を検知した際に、前記付加情報条件記憶手段に記憶保持した付加情報の条件に基づいて該読取画像に前記付加情報を付加する付加情報処理手段と、前記読取画像および前記付加情報を付加した読取画像の読取画像記憶手段への記憶制御を実施する読取画像記憶制御手段と、前記読取画像記憶手段に記憶保持した読取画像および前記付加情報を付加した読取画像のプレビュー用の画像を生成するプレビュー生成手段と、前記プレビュー生成手段で生成したプレビュー用の画像を表示するプレビュー表示手段と、前記プレビュー表示手段に表示されたプレビュー用の画像に基づき、前記画像読取装置での再読取処理を実施する前記読取処理の不具合条件を検知した読取画像を決定する再読取処理決定手段とを具備することを特徴とする。
【０００９】
なお、読取処理不具合条件設定手段は図３に示すスキャンミス条件設定手段１５に対応し、読取処理不具合条件記憶手段は図２に示すスキャンミス条件記憶部８に対応し、付加情報条件設定手段は図３に示すマーカー条件設定手段１６に対応し、付加情報条件記憶手段は図２に示すマーカー条件記憶部９に対応し、読取画像解析手段は図３に示すスキャンデータ解析手段１９に対応し、付加情報処理手段は図３に示すマーカー処理手段２０に対応し、読取画像記憶手段は図２に示すスキャンデータ記憶部１２に対応し、読取画像記憶制御手段は図３に示すスキャンデータ記憶制御手段２１に対応し、プレビュー生成手段は図２に示すプレビュー生成部１３に対応し、プレビュー表示手段は図３に示すプレビュー表示手段１７に対応し、再読取処理決定手段は図３に示す再スキャン原稿決定手段１８に対応する。
【００１０】
また、請求項２の発明は、請求項１の発明において、前記読取画像解析手段は前記再読取処理決定手段で再読取処理を決定した読取画像の原稿を前記画像読取装置で再読取処理した再読取画像から前記読取処理不具合条件記憶手段に記憶保持した読取処理の不具合条件が検知されるか否か解析し、前記付加情報処理手段は、前記読取画像解析手段で再読取画像から前記読取処理の不具合条件を検知しなかった際に、該再読取画像に該読取処理の不具合条件を検知しなかったことを示す付加情報を付加し、前記読取画像記憶制御手段は、前記付加情報処理手段で前記読取処理の不具合条件を検知しなかったことを示す付加情報を付加した再読取画像を前記再読取処理決定手段で決定した読取画像と差し替えて読取画像記憶手段に記憶保持することを特徴とする。
【００１１】
また、請求項３の発明は、請求項２の発明において、前記付加情報処理手段は、前記読取処理の不具合条件を検知しなかったことを示す付加情報を前記再読取画像とは異なる情報として付加することを特徴とする。
【００１２】
また、請求項４の発明は、請求項１の発明において、前記付加情報条件設定手段は、前記読取画像に前記付加情報を付加する条件となる前記読取処理の不具合条件、該付加情報の形態および該読取画像に該付加情報を付加する位置を設定することを特徴とする。
【００１３】
また、請求項５の発明は、画像読取装置で読取処理した読取画像に対して画像形成を実施する画像形成装置において、前記読取画像の読取処理の不具合条件を設定する読取処理不具合条件設定手段と、前記読取処理不具合条件設定手段で設定した読取処理の不具合条件を記憶保持する読取処理不具合条件記憶手段と、前記読取画像から前記読取処理の不具合条件を検知した際に該読取画像の排出先を指定する排出先指定設定手段と、前記排出先指定設定手段で設定した排出先を記憶保持する排出先指定記憶手段と、前記読取画像から前記読取処理不具合条件記憶手段に記憶保持した読取処理の不具合条件が検知されるか否か解析する読取画像解析手段と、前記読取画像解析手段で読取画像から前記読取処理の不具合条件を検知した際に、前記排出先指定記憶手段に記憶保持した排出先に該読取画像を排出するように指定する排出先指定手段とを具備することを特徴とする。
【００１４】
なお、読取処理不具合条件設定手段は図１１に示すスキャンミス条件設定手段１５に対応し、読取処理不具合条件記憶手段は図１０に示すスキャンミス条件記憶部８に対応し、排出先指定設定手段は図１１に示す排出トレイ指定設定手段２７に対応し、排出先指定記憶手段は図１０に示す排出トレイ指定記憶部２６に対応し、読取画像解析手段は図１１に示すスキャンデータ解析手段１９に対応し、排出先指定手段は図１１に示す排出トレイ指定手段２８に対応する。
【００１５】
また、請求項６の発明は、請求項５の発明において、前記排出先指定設定手段は、前記読取画像を前記排出先に指定する条件となる前記読取処理の不具合条件を設定することを特徴とする。
【００１６】
また、請求項７の発明は、画像読取装置で読取処理した読取画像に対して画像形成を実施する画像形成方法において、前記読取画像の読取処理の不具合条件を設定して記憶保持し、前記読取画像から前記読取処理の不具合条件を検知した際に該読取画像に付加する付加情報の条件を設定して記憶保持し、前記読取画像から前記読取処理の不具合条件が検知されるか否か解析し、前記解析により前記読取画像から前記読取処理の不具合条件を検知した際に、前記付加情報の条件に基づいて該読取画像に前記付加情報を付加し、前記読取画像および前記付加情報を付加した読取画像を読取画像記憶手段に記憶保持し、該記憶保持した読取画像および付加情報を付加した読取画像のプレビュー用の画像を生成し、該生成したプレビュー用の画像を表示し、該表示されたプレビュー用の画像に基づき、前記画像読取装置での再読取処理を実施する前記読取処理の不具合条件を検知した読取画像を決定することを特徴とする。
【００１７】
また、請求項８の発明は、請求項７の発明において、再読取処理を決定した読取画像の原稿を前記画像読取装置で再読取処理した再読取画像から前記読取処理の不具合条件が検知されるか否か解析し、前記解析により前記再読取画像から前記読取処理の不具合条件を検知しなかった際に、該再読取画像に該読取処理の不具合条件を検知しなかったことを示す付加情報を付加し、前記読取処理の不具合条件を検知しなかったことを示す付加情報を付加した再読取画像を前記画像読取装置での再読取処理を決定した読取画像と差し替えて読取画像記憶手段に記憶保持することを特徴とする。
【００１８】
また、請求項９の発明は、請求項８の発明において、前記読取処理の不具合条件を検知しなかったことを示す付加情報を前記再読取画像とは異なる情報として付加することを特徴とする。
【００１９】
また、請求項１０の発明は、請求項７の発明において、前記付加情報の条件を設定する際に、前記読取画像に前記付加情報を付加する条件となる前記読取処理の不具合条件、該付加情報の形態および該読取画像に該付加情報を付加する位置を設定することを特徴とする。
【００２０】
また、請求項１１の発明は、画像読取装置で読取処理した読取画像に対して画像形成を実施する画像形成方法において、前記読取画像の読取処理の不具合条件を設定して記憶保持し、前記読取画像から前記読取処理の不具合条件を検知した際に該読取画像の排出先を指定して記憶保持し、前記読取画像から前記読取処理の不具合条件が検知されるか否か解析し、前記解析により前記読取画像から前記読取処理の不具合条件を検知した際に、前記排出先に該読取画像を排出するように指定することを特徴とする。
【００２１】
また、請求項１２の発明は、請求項１１の発明において、前記排出先を指定する際に、前記読取画像を前記排出先に指定する条件となる前記読取処理の不具合条件を設定することを特徴とする。
【００２２】
また、請求項１３の発明は、画像読取装置で読取処理した読取画像に対して画像形成を実施する画像形成プログラムにおいて、前記読取画像の読取処理の不具合条件を設定して記憶保持する処理と、前記読取画像から前記読取処理の不具合条件を検知した際に該読取画像に付加する付加情報の条件を設定して記憶保持する処理と、前記読取画像から前記読取処理の不具合条件が検知されるか否か解析する処理と、前記解析により前記読取画像から前記読取処理の不具合条件を検知した際に、前記付加情報の条件に基づいて該読取画像に前記付加情報を付加する処理と、前記読取画像および前記付加情報を付加した読取画像の読取画像記憶手段への記憶制御を実施する処理と、該記憶保持した読取画像および前記付加情報を付加した読取画像のプレビュー用の画像を生成する処理と、該生成したプレビュー用の画像を表示する処理と、該表示されたプレビュー用の画像に基づき、前記画像読取装置での再読取処理を実施する前記読取処理の不具合条件を検知した読取画像を決定する処理とをコンピュータに動作させることを特徴とする。
【００２３】
また、請求項１４の発明は、請求項１３の発明において、前記再読取処理を決定した読取画像の原稿を前記画像読取装置で再読取処理した再読取画像から前記読取処理の不具合条件が検知されるか否か解析する処理と、前記解析により前記再読取画像から前記読取処理の不具合条件を検知しなかった際に、該再読取画像に該読取処理の不具合条件を検知しなかったことを示す付加情報を付加する処理と、前記読取処理の不具合条件を検知しなかったことを示す付加情報を付加した再読取画像を前記画像読取装置での再読取処理を決定した読取画像と差し替えて読取画像記憶手段に記憶保持する処理とをコンピュータに動作させることを特徴とする。
【００２４】
また、請求項１５の発明は、請求項１４の発明において、前記読取処理の不具合条件を検知しなかったことを示す付加情報を前記再読取画像とは異なる情報として付加する処理をコンピュータに動作させることを特徴とする。
【００２５】
また、請求項１６の発明は、請求項１３の発明において、前記付加情報の条件を設定する際に、前記読取画像に前記付加情報を付加する条件となる前記読取処理の不具合条件、該付加情報の形態および該読取画像に該付加情報を付加する位置を設定する処理をコンピュータに動作させることを特徴とする。
【００２６】
また、請求項１７の発明は、画像読取装置で読取処理した読取画像に対して画像形成を実施する画像形成プログラムにおいて、前記読取画像の読取処理の不具合条件を設定して記憶保持する処理と、前記読取画像から前記読取処理の不具合条件を検知した際に該読取画像の排出先を指定して記憶保持する処理と、前記読取画像から前記読取処理の不具合条件が検知されるか否か解析する処理と、前記解析により前記読取画像から前記読取処理の不具合条件を検知した際に、前記排出先に該読取画像を排出するように指定する処理とをコンピュータに動作させることを特徴とする。
【００２７】
また、請求項１８の発明は、請求項１７の発明において、前記排出先指定を設定する際に、前記読取画像を前記排出先に指定する条件となる前記読取処理の不具合条件を設定する処理をコンピュータに動作させることを特徴とする。
【発明の効果】
【００２８】
本発明によれば、スキャンミスのリカバリーを容易にすることで、原稿読取作業効率を改善することが可能になるという効果を奏する。
【発明を実施するための最良の形態】
【００２９】
以下、本発明の実施の形態について添付図面を参照して詳細に説明する。
【００３０】
本発明の実施の形態として、画像形成装置とスキャナとクライアントとプリンタとがネットワークを介して接続されている構成を一例にして説明する。
【００３１】
図１は、本発明の実施の形態で用いる画像形成システム１の全体構成の一例を示すブロック図である。
【００３２】
図１に示すように、画像形成システム１は画像形成装置２と複数のスキャナ３、複数のクライアント４、プリンタ５がネットワーク６を介して接続されて構成される。なお、スキャナ３、クライアント４およびプリンタ５は、必ずしも複数必要なわけではない。
【００３３】
ここで、各装置について詳細に説明する。
【００３４】
画像形成装置２は、スキャナ３が読み取った画像（以後、スキャンデータという）を受け付け、受け付けたスキャンデータの画像形成を行い、画像形成したスキャンデータを指定されたクライアント４またはプリンタ５に送信する。
【００３５】
スキャナ３は、原稿を読み取ることでスキャンデータを取得し、取得したスキャンデータを画像形成装置２に送信する。
【００３６】
クライアント４は、ＰＣ（Personal Computer）等の情報処理装置であり、クライアント４にインストールされた画像処理アプリケーション等を用いて、画像形成装置から受信したスキャンデータの画像処理を行う。
【００３７】
プリンタ５は、画像形成装置２から受信したスキャンデータを用紙上に形成する。
【００３８】
なお、画像形成装置２はスキャナ３およびプリンタ５のいずれか一方、若しくは両方の機能を包含するものであってもよい。
【００３９】
次に、スキャンミスと解析されたスキャンデータにマーカーを付加する第１の実施の形態における画像形成装置２を詳細に説明する。
【００４０】
図２は、本発明の第１の実施の形態における画像形成装置２の機能的な構成を示すブロック図である。
【００４１】
図２に示すように、画像形成装置２は、ＵＩ（Usr Interface）７、スキャン条件記憶部８、マーカー条件記憶部９、スキャンデータ受信部１０、スキャンデータ処理部１１、スキャンデータ記憶部１２、プレビュー生成部１３、スキャンデータ送信部１４を具備して構成される。
【００４２】
ここで、各構成部について詳細に説明する。
【００４３】
ＵＩ７は、ユーザからの設定（スキャンミス条件、マーカー条件等）および決定（再スキャン原稿等）を受け付ける処理を行うとともに、スキャンデータのプレビューを表示する処理を行う。
【００４４】
スキャン条件記憶部８は、ＵＩ７で設定したスキャンミス条件を記憶保持する。
【００４５】
マーカー条件記憶部９は、ＵＩ７で設定したマーカー条件を記憶保持する。
【００４６】
スキャンデータ受信部１０は、スキャナ３から送信されたスキャンデータを受信する処理を行う。
【００４７】
スキャンデータ処理部１１は、スキャンデータ受信部１０で受信したスキャンデータからスキャンミス条件が検知されるか否か解析を行うとともに、スキャンミス条件が検知されたスキャンデータに対してマーカーを付加する処理を行う。
【００４８】
スキャンデータ記憶部１２は、スキャンデータ処理部１１で処理したスキャンデータを記憶保持する。
【００４９】
プレビュー生成部１３は、スキャンデータ記憶部１２で記憶保持しているスキャンデータのプレビュー用画像（サムネイル）を生成する処理を行う。
【００５０】
スキャンデータ送信部１４は、スキャンデータ記憶部１２で記憶保持しているスキャンデータをクライアント４またはプリンタ５に送信する処理を行う。
【００５１】
次に、画像形成装置２のＵＩ７、スキャンデータ処理部１１のそれぞれが有する機能について詳細に説明する。
【００５２】
図３は、ＵＩ７、スキャンデータ処理部１１のそれぞれが有する機能を示すブロック図である。
【００５３】
ＵＩ７が有する機能について詳細に説明する。
【００５４】
図３に示すように、ＵＩ７は、スキャンミス条件設定手段１５、マーカー条件設定手段１６、プレビュー表示手段１７、再スキャン原稿決定手段１８を有している。
【００５５】
ここで、各機能について詳細に説明する。
【００５６】
スキャンミス条件設定手段１５は、スキャナ３のスキャンミス条件を設定する機能である。例えば、スキャンミス条件として、原稿スキャン時の物理的スキュー許容範囲角度、原稿イメージ内容の傾き許容範囲角度、原稿の端折れ検知サイズ、ごま塩系ノイズの閾値、裏写り検知のＯＮ／ＯＦＦ、活字または手書きＯＣＲ認識ミス基準、埋め込み情報認識ミス基準等がある。
【００５７】
マーカー条件設定手段１６は、スキャンミス条件が検知されたスキャンデータに対して付加するマーカーの条件を設定する機能である。
【００５８】
プレビュー表示手段１７は、プレビュー生成部１３で生成したスキャンデータのプレビュー用画像を表示する機能である。
【００５９】
再スキャン原稿決定手段１８は、プレビュー表示手段１７によりスキャンミス条件をクリアしていないスキャンデータの原稿をスキャナで再スキャンすることを決定する機能である。
【００６０】
スキャンデータ処理部１１が有する機能について詳細に説明する。
【００６１】
図３に示すように、スキャンデータ処理部１１は、スキャンデータ解析手段１９、マーカー処理手段２０、スキャンデータ記憶制御手段２１を有している。
【００６２】
ここで、各機能について詳細に説明する。
【００６３】
スキャンデータ解析手段１９は、スキャンデータからスキャンミス条件記憶部８に記憶保持されているスキャンミス条件が検知されるか否か解析する機能である。
【００６４】
マーカー処理手段２０は、スキャンデータ解析手段１９でスキャンミス条件が検知されたスキャンデータに対して、マーカー条件記憶部９に記憶保持されているマーカー条件に基づいて要再スキャンを示すマーカーを付加し、また、スキャンデータ解析手段１９でスキャンミス条件が検知されなかった再スキャンデータに対して、スキャンミス条件クリアを示すマーカーを付加する機能である。
【００６５】
スキャンデータ記憶制御手段２１は、スキャンデータのスキャンデータ記憶部１２への書き込みを制御する機能である。
【００６６】
次に、スキャンミス条件を設定する際に画像形成装置２が行う機能的な動作について図２および図３を参照して詳細に説明する。
【００６７】
ＵＩ７は、スキャンミス条件設定手段１５によりスキャンミス条件を受け付けると、受け付けたスキャンミス条件をスキャンミス条件記憶部８に記憶保持する。
【００６８】
次に、マーカー条件を設定する際に画像形成装置２が行う機能的な動作について図２および図３を参照して詳細に説明する。
【００６９】
ＵＩ７は、マーカー条件設定手段１６によりマーカー条件を受け付けると、受け付けたマーカー条件をマーカー条件記憶部９に記憶保持する。
【００７０】
次に、スキャナ３からスキャンデータを受信した際に画像形成装置２が行う機能的な動作について図２および図３を参照して詳細に説明する。
【００７１】
ユーザはスキャナ３で原稿のスキャンを行い、スキャナ３はスキャンデータを画像形成装置２に送信する。
【００７２】
スキャンデータ受信部１０はスキャナ３からスキャンデータを受信すると、受信したスキャンデータをスキャンデータ処理部１１に渡す。
【００７３】
スキャンデータ処理部１１はスキャンデータをスキャンデータ解析手段１９に渡し、スキャンデータ解析手段１９はスキャンデータを受け取ると、スキャンミス条件記憶部８からスキャンミス条件を読み出し、スキャンデータからスキャンミス条件が検知されるか否か解析する。
【００７４】
ここで、スキャンデータ解析手段１９がスキャンデータからスキャンミス条件を検知した場合、スキャンデータ解析手段１９はスキャンデータをマーカー処理手段２０に渡し、マーカー処理手段２０はスキャンデータを受け取ると、マーカー条件記憶部９からマーカー条件を読み出し、読み出したマーカー条件に基づいてスキャンデータに対して要再スキャンを示すマーカーを付加し、マーカーを付加したスキャンデータをスキャンデータ記憶制御手段２１に渡し、スキャンデータ記憶制御手段２１はマーカーを付加したスキャンデータを受け取ると、受け取ったマーカーを付加したスキャンデータをスキャンデータ記憶部１２に記憶保持する。
【００７５】
また、スキャンデータ解析手段１９がスキャンデータからスキャンミス条件を検知しなかった場合、スキャンデータ解析手段１９はスキャンデータをスキャンデータ記憶制御手段２１に渡し、スキャンデータ記憶制御手段２１はスキャンデータを受け取ると、受け取ったスキャンデータ記憶部１２に記憶保持する。
【００７６】
プレビュー生成部１３はスキャンデータ記憶部１２からスキャンデータおよびマーカーを付加したスキャンデータを読み出し、読み出したスキャンデータおよびマーカーを付加したスキャンデータ各々のプレビュー用画像を生成し、生成したプレビュー用画像をプレビュー表示手段１７に表示する。
【００７７】
ここで、ユーザはプレビュー表示手段１７に表示されているプレビュー用画像の中からマーカーを付加したスキャンデータのプレビュー用画像を確認し、再スキャン原稿決定手段１８によりマーカーを付加したスキャンデータの原稿を再スキャンすることを決定する。
【００７８】
再スキャン原稿決定手段１８は再スキャンする原稿に関する情報（例えば、ページ番号等）をスキャンデータ記憶制御手段２１に渡し、スキャンデータ記憶制御手段２１は再スキャンする原稿に関する情報を受け取ると、受け取った再スキャンする原稿に関する情報を一時記憶保持する。
【００７９】
次に、スキャンミス条件が検知されたスキャンデータの原稿を再スキャンする際に画像形成装置２が行う機能的な動作について図２および図３を参照して詳細に説明する。
【００８０】
ユーザはスキャナ３で再スキャン原稿の再スキャンを行い、スキャナ３は再スキャンデータを画像形成装置２に送信する。
【００８１】
スキャンデータ受信部１０はスキャナ３から再スキャンデータを受信すると、受信した再スキャンデータをスキャンデータ処理部１１に渡す。
【００８２】
スキャンデータ処理部１１は再スキャンデータをスキャンデータ解析手段１９に渡し、スキャンデータ解析手段１９は再スキャンデータを受け取ると、スキャンミス条件記憶部８からスキャンミス条件を読み出し、再スキャンデータからスキャンミス条件が検知されるか否か解析する。
【００８３】
ここで、スキャンデータ解析手段１９が再スキャンデータからスキャンミス条件を検知した場合、スキャンデータ解析手段１９は再スキャンデータをマーカー処理手段２０に渡し、マーカー処理手段２０は再スキャンデータを受け取ると、再スキャンデータに対してスキャンミス条件未検知を示すマーカーを付加し、マーカーを付加した再スキャンデータをスキャンデータ記憶制御手段２１に渡し、スキャンデータ記憶制御手段２１はマーカーを付加した再スキャンデータを受け取ると、一時記憶保持している再スキャンする原稿に関する情報に基づき、再スキャンデータと差し替えるスキャンデータを確認し、確認したスキャンデータをスキャンデータ記憶部１２から削除し、削除したスキャンデータの位置に再スキャンデータを記憶保持する。なお、マーカー処理手段２０はスキャンミス条件未検知を示すマーカーをスキャンデータとしては残らないように付加する。
【００８４】
ここで、スキャンデータ解析手段１９が再スキャンデータからスキャンミス条件を検知した場合、スキャンデータ解析手段１９は再スキャンデータをマーカー処理手段２０に渡し、マーカー処理手段２０は再スキャンデータを受け取ると、マーカー条件記憶部９からマーカー条件を読み出し、読み出したマーカー条件に基づいて再スキャンデータに対して要再スキャンを示すマーカーを付加し、マーカーを付加した再スキャンデータをスキャンデータ記憶制御手段２１に渡し、スキャンデータ記憶制御手段２１はマーカーを付加した再スキャンデータを受け取ると、一時記憶保持している再スキャンする原稿に関する情報に基づき、再スキャンデータと差し替えるスキャンデータを確認し、確認したスキャンデータをスキャンデータ記憶部１２から削除し、削除したスキャンデータの位置に再スキャンデータを記憶保持する。
【００８５】
次に、スキャンミス条件を設定する際に実施される設定処理の手順について図４に示すフローチャートを参照して説明する。
【００８６】
スキャンミス条件が設定され（ステップＳ４０１）、設定されたスキャンミス条件を記憶し（ステップＳ４０２）、設定処理を終了する。
【００８７】
次に、マーカー条件を設定する際に実施される設定処理の手順について図５に示すフローチャートを参照して説明する。
【００８８】
マーカー条件が設定され（ステップＳ５０１）、設定されたマーカー条件を記憶し（ステップＳ５０２）、設定処理を終了する。
【００８９】
次に、スキャナ３からスキャンデータを受信した際に実施される画像形成処理の手順について図６に示すフローチャートを参照して説明する。
【００９０】
スキャナからスキャンデータを受信し（ステップＳ６０１）、受信したスキャンデータを解析する（ステップＳ６０２）。
【００９１】
スキャンデータからスキャンミス条件が検知された場合（ステップＳ６０３でＹＥＳ）、スキャンデータに要再スキャンを示すマーカーを付加し（ステップＳ６０４）、マーカーを付加したスキャンデータを記憶保持する（ステップＳ６０５）。
【００９２】
なお、ステップＳ６０３において、スキャンデータからスキャンミス条件が検知されなかった場合（ステップＳ６０３でＮＯ）、スキャンデータを記憶保持する（ステップＳ６０５）。
【００９３】
スキャンデータの受信が続く場合（ステップＳ６０６でＹＥＳ）、ステップＳ６０２に戻る。
【００９４】
スキャンデータの受信が終了した場合（ステップＳ６０６でＮＯ）、記憶保持したスキャンデータのプレビューを生成し（ステップＳ６０７）、生成したプレビューを表示し（ステップＳ６０８）、画像形成処理を終了する。
【００９５】
次に、スキャンミス条件が検知されたスキャンデータの原稿を再スキャンする際に実施される画像形成処理の手順について図７に示すフローチャートを参照して説明する。
【００９６】
ユーザがプレビューから再スキャン原稿を決定し（ステップＳ７０１）、ユーザがスキャナで再スキャン原稿をスキャンする（ステップＳ７０２）。
【００９７】
スキャナから再スキャンデータを受信し（ステップＳ７０３）、受信した再スキャンデータを解析する（ステップＳ７０４）。
【００９８】
再スキャンデータからスキャンミス条件が検出されなかった場合（ステップＳ７０５でＮＯ）、再スキャンデータにスキャンミス条件未検知を示すマーカーを付加し（ステップＳ７０６）、再スキャンデータを差し替えて記憶保持する（ステップＳ７０７）。
【００９９】
なお、ステップＳ７０５において、再スキャンデータからスキャンミス条件が検知された場合（ステップＳ７０５でＹＥＳ）、再スキャンデータに要再スキャンを示すマーカーを付加し（ステップＳ７０８）、再スキャンデータを差し替えて記憶保持する（ステップＳ７０７）。
【０１００】
再スキャンデータの受信が続く場合（ステップＳ７０９でＹＥＳ）、ステップＳ７０４に戻る。
【０１０１】
スキャンデータの受信が終了した場合（ステップＳ７０９でＮＯ）、再スキャンデータのプレビューを表示し（ステップＳ７１０）、生成したプレビューを表示し（ステップＳ７１１）、画像形成処理を終了する。
【０１０２】
次に、要再スキャンを示すマーカーの付加について詳細に説明する。
【０１０３】
例えば、スキャンミス条件を
「１．原稿スキャン時の物理的スキュー許容範囲角度：±３°以内
２．原稿イメージ内容の傾き許容範囲角度：±３°以内」
と設定し、マーカー条件を
「１．検知時の処理：マーカー付加
２．マーカー登録
［１］条件：原稿スキャン時の物理的スキュー許容範囲角度±３°以内
AND  原稿イメージ内容の傾き許容範囲角度±３°以内
［２］マーカー：ページ番号マーカー＋文字マーカー（”斜入力  要再スキャン）
［３］マーカー位置：相対指定、原稿右上（ポジション３×３ｍｍ、サイズ１０×３０ｍｍ）」
と設定した場合を一例にして説明する。
【０１０４】
図８は、要再スキャンを示すマーカー２２の付加について詳細に説明する図である。
【０１０５】
図８（ａ）は、要再スキャンを示すマーカー２２が付加されたスキャンデータ２３の一例を示す図である。
【０１０６】
図８（ａ）に示すように、上記スキャンミス条件が検知されたスキャンデータ２３は上記マーカー条件により原稿の右上に「Ｐ０３（ページ３）」のページ番号マーカーおよび「斜入力  要再スキャン」の文字マーカーが付加されている。
【０１０７】
図８（ｂ）は、プレビュー表示手段１７によるプレビュー表示の一例を示す図である。
【０１０８】
図８（ｂ）に示すように、プレビュー表示手段１７に各スキャンデータのプレビューが表示されており、ユーザはプレビュー表示手段１７のプレビュー表示により、ページ３およびページ５のスキャンデータ２３がスキャンミス条件「原稿スキャン時の物理的スキュー許容範囲角度±３°以内  AND  原稿イメージ内容の傾き許容範囲角度±３°以内」をクリアしていないことを確認することで、当該ページ３およびページ５の原稿を再スキャンすることを一括して決定することができる。
【０１０９】
次に、再スキャンを実施した際にスキャンミス条件未検知を示すマーカーの付加について詳細に説明する。
【０１１０】
図９は、再スキャンを実施した際にスキャンミス条件未検知を示すマーカー２４の付加について詳細に説明する図である。
【０１１１】
図９（ａ）は、再スキャンを実施した際にスキャンミス条件未検知を示すマーカー２４が付加された再スキャンデータ２５の一例を示す図である。
【０１１２】
図９（ａ）に示すように、上記スキャンミス条件が検知されなかった再スキャンデータ２５は原稿の右上に「ＯＫ」のスキャンミス条件未検知を示すマーカー２４が付加されている。
【０１１３】
図９（ｂ）は、プレビュー表示手段１７によるプレビュー表示の一例を示す図である。
【０１１４】
図８（ｂ）において要再スキャンであったページ３およびページ５のスキャンデータ２３は、スキャンミス条件が検出された再スキャンデータ２５と差し替えられるため、図９（ｂ）に示すように、ページ３およびページ５の位置には「ＯＫ」のスキャンミス条件未検知を示すマーカー２４が付加されている再スキャンデータ２５のプレビューが表示されている。
【０１１５】
従って、ユーザは全てのスキャンデータからスキャンミス条件が検知されなかったことを一括して確認することができる。
【０１１６】
次に、スキャンミスと解析されたスキャンデータを要再スキャン用に指定した排出トレイに排出する第２の実施の形態における画像形成装置２を詳細に説明する。
【０１１７】
図１０は、本発明の第２の実施の形態における画像形成装置２の機能的な構成を示すブロック図である。
【０１１８】
図１０に示すように、画像形成装置２は、ＵＩ（Usr Interface７）、スキャン条件記憶部８、排出トレイ指定記憶部２６、スキャンデータ受信部１０、スキャンデータ処理部１１、スキャンデータ記憶部１２、プレビュー生成部１３、スキャンデータ送信部１４を具備して構成される。
【０１１９】
ここで、各構成部について詳細に説明する。なお、図２に示す本発明の第１の実施の形態における画像形成装置２が有する構成部と同一なものについては詳細な説明を省略する。
【０１２０】
ＵＩ７は、ユーザからの設定（スキャンミス条件、要再スキャン用の排出トレイ指定等）および決定（再スキャン原稿等）を受け付ける処理を行うとともに、スキャンデータのプレビューを表示する処理を行う。
【０１２１】
排出トレイ指定記憶部２６は、ＵＩ７で設定した要再スキャン用の排出トレイ指定を記憶保持する。
【０１２２】
スキャンデータ処理部１１は、スキャンデータ受信部１０で受信したスキャンデータのスキャンミス条件に対する解析を行うとともに、スキャンミス条件が検知されたスキャンデータを要再スキャン用に指定した排出トレイに排出するように指定する処理を行う。
【０１２３】
次に、画像形成装置２のＵＩ７、スキャンデータ処理部１１のそれぞれが有する機能について詳細に説明する。
【０１２４】
図１１は、ＵＩ７、スキャンデータ処理部１１のそれぞれが有する機能を示すブロック図である。
【０１２５】
ＵＩ７が有する機能について詳細に説明する。
【０１２６】
図１１に示すように、ＵＩ７は、スキャンミス条件設定手段１５、排出トレイ指定設定手段２７、プレビュー表示手段１７を有している。
【０１２７】
ここで、各機能について詳細に説明する。なお、図３に示す本発明の第１の実施の形態における画像形成装置２のＵＩが有する機能と同一なものについては詳細な説明を省略する。
【０１２８】
排出トレイ指定設定手段２７は、スキャンミス条件が検知されたスキャンデータを排出する排出トレイ（つまり、要再スキャン用の排出トレイ）の指定を設定する機能である。
【０１２９】
スキャンデータ処理部１１が有する機能について詳細に説明する。
【０１３０】
図１１に示すように、スキャンデータ処理部１１は、スキャンデータ解析手段１９、排出トレイ指定手段２８を有している。
【０１３１】
ここで、各機能について詳細に説明する。なお、図３に示す本発明の第１の実施の形態における画像形成装置２のスキャンデータ処理部１１が有する機能と同一なものについては詳細な説明を省略する。
【０１３２】
排出トレイ指定手段１８は、スキャンデータ解析手段１９でスキャンミス条件が検知されたスキャンデータを排出トレイ指定記憶部２６に記憶保持されている要再スキャン用の排出トレイに排出するように指定する機能である。
【０１３３】
次に、スキャンミス条件を設定する際に画像形成装置２が行う機能的な動作について図１０および図１１を参照して詳細に説明する。
【０１３４】
ＵＩ７は、スキャンミス条件設定手段１５によりスキャンミス条件を受け付けると、受け付けたスキャンミス条件をスキャンミス条件記憶部８に記憶保持する。
【０１３５】
次に、排出トレイ指定を設定する際に画像形成装置２が行う機能的な動作について図１０および図１１を参照して詳細に説明する。
【０１３６】
ＵＩは、排出トレイ指定設定手段２７により要再スキャン用の排出トレイの指定を受け付けると、受け付けた要再スキャン用の排出トレイの指定を排出トレイ指定記憶部２６に記憶保持する。
【０１３７】
次に、スキャナ３からスキャンデータを受信した際に画像形成装置２が行う機能的な動作について図１０および図１１を参照して詳細に説明する。
【０１３８】
ユーザはスキャナ３で原稿のスキャンを行い、スキャナ３はスキャンデータを画像形成装置２に送信する。
【０１３９】
スキャンデータ受信部１０はスキャナ３からスキャンデータを受信すると、受信したスキャンデータをスキャンデータ処理部１１に渡す。
【０１４０】
スキャンデータ処理部１１はスキャンデータをスキャンデータ解析手段１９に渡し、スキャンデータ解析手段１９はスキャンデータを受け取ると、スキャンミス条件記憶部８からスキャンミス条件を読み出し、スキャンデータからスキャンミス条件が検知されるか否か解析する。
【０１４１】
ここで、スキャンデータ解析手段１９がスキャンデータからスキャンミス条件を検知した場合、スキャンデータ解析手段１９はスキャンデータを排出トレイ指定手段２８に渡し、排出トレイ指定手段２８はスキャンデータを受け取ると、排出トレイ指定記憶部２６から要再スキャン用の排出トレイを読み出し、読み出した要再スキャン用の排出トレイにスキャンデータを排出するように指定し、当該スキャンデータをスキャンデータ送信部１４に渡し、スキャンデータ送信部１４は当該スキャンデータを受け取ると、受け取った当該スキャンデータをプリンタ５に送信する。
【０１４２】
プリンタ５は画像形成装置２から要再スキャン用の排出トレイに指定されたスキャンデータを受信すると、受信した当該スキャンデータを用紙上に形成し、当該スキャンデータが形成された用紙を要再スキャン用の排出トレイに排出する。
【０１４３】
また、スキャンデータ解析手段１９がスキャンデータからスキャンミス条件を検知しなかった場合、スキャンデータ解析手段１９はスキャンデータをスキャンデータ送信部１４に渡し、スキャンデータ送信部１４はスキャンデータを受け取ると、受け取ったスキャンデータをプリンタ５に送信する。
【０１４４】
プリンタ５は画像形成装置２からスキャンデータを受信すると、受信したスキャンデータを用紙上に形成し、スキャンデータが形成された用紙を排出トレイに排出する。
【０１４５】
次に、スキャンミス条件を設定する際に実施される設定処理の手順について図１２に示すフローチャートを参照して説明する。
【０１４６】
スキャンミス条件が設定され（ステップＳ１２０１）、設定されたスキャンミス条件を記憶し（ステップＳ１２０２）、設定処理を終了する。
【０１４７】
次に、マーカー条件を設定する際に実施される設定処理の手順について図１３に示すフローチャートを参照して説明する。
【０１４８】
要再スキャン用の排出トレイの指定が設定され（ステップＳ１３０１）、設定された要再スキャン用の排出トレイの指定を記憶し（ステップＳ１３０２）、設定処理を終了する。
【０１４９】
次に、スキャナからスキャンデータを受信した際に実施される画像形成処理の手順について図１４に示すフローチャートを参照して説明する。
【０１５０】
スキャナからスキャンデータを受信し（ステップＳ１４０１）、受信したスキャンデータを解析する（ステップＳ１４０２）。
【０１５１】
スキャンデータからスキャンミス条件が検知された場合（ステップＳ１４０３でＹＥＳ）、スキャンデータを要再スキャン用の排出トレイに排出するように指定し（ステップＳ１４０４）、要再スキャン用の排出トレイに排出するように指定されたプリンタに送信する（ステップＳ１４０５）。
【０１５２】
なお、ステップＳ１４０３において、スキャンデータからスキャンミス条件が検知されなかった場合（ステップＳ１４０３でＮＯ）、スキャンデータをプリンタに送信する（ステップＳ１４０５）。
【０１５３】
スキャンデータの受信が続く場合（ステップＳ１４０６でＹＥＳ）、ステップＳ１４０２に戻る。
【０１５４】
スキャンデータの受信が終了した場合（ステップＳ６０６でＮＯ）、画像形成処理を終了する。
【０１５５】
なお、本発明は、画像形成装置２がプリンタの機能を有するとともに、複数の排出トレイを有する構成でも適用可能であり、そのような構成の場合、上記第２の実施の形態では、スキャンミス条件が検知されたスキャンデータと、スキャンミス条件が検知されなかったスキャンデータとの排出の制御を行えば良い。
【０１５６】
また、本発明は、上記実施の形態で説明した画像形成装置２と同様の処理を行うことが可能な画像形成プログラムをスキャナドライバとして、一般的なＰＣ等の汎用電子計算機にインストールする構成でも適用可能である。
【図面の簡単な説明】
【０１５７】
【図１】本発明の実施の形態で用いる画像形成システム１の全体構成の一例を示すブロック図である。
【図２】本発明の第１の実施の形態における画像形成装置２の機能的な構成を示すブロック図である。
【図３】ＵＩ７、スキャンデータ処理部１１のそれぞれが有する機能を示すブロック図である。
【図４】スキャンミス条件を設定する際に実施される設定処理の手順を示すフローチャートである。
【図５】次に、マーカー条件を設定する際に実施される設定処理の手順を示すフローチャートである。
【図６】スキャナ３からスキャンデータを受信した際に実施される画像形成処理の手順を示すフローチャートである。
【図７】スキャンミス条件が検知されたスキャンデータの原稿を再スキャンする際に実施される画像形成処理の手順を示すフローチャートである。
【図８】要再スキャンを示すマーカー２２の付加について詳細に説明する図である。
【図９】再スキャンを実施した際にスキャンミス条件未検知を示すマーカー２４の付加について詳細に説明する図である。
【図１０】本発明の第２の実施の形態における画像形成装置２の機能的な構成を示すブロック図である。
【図１１】ＵＩ７、スキャンデータ処理部１１のそれぞれが有する機能を示すブロック図である。
【図１２】スキャンミス条件を設定する際に実施される設定処理の手順を示すフローチャートである。
【図１３】マーカー条件を設定する際に実施される設定処理の手順を示すフローチャートである。
【図１４】スキャナからスキャンデータを受信した際に実施される画像形成処理の手順を示すフローチャートである。
【符号の説明】
【０１５８】
１    画像形成システム
２    画像形成装置
３    スキャナ
４    クライアント
５    プリンタ
６    ネットワーク
７    ＵＩ
８    スキャンミス条件記憶部
９    マーカー条件記憶部
１０    スキャンデータ受信部
１１    スキャンデータ処理部
１２    スキャンデータ記憶部
１３    プレビュー生成部
１４    スキャンデータ送信部
１５    スキャンミス条件設定手段
１６    マーカー条件設定手段
１７    プレビュー表示手段
１８    再スキャン原稿決定手段
１９    スキャンデータ解析手段
２０    マーカー処理手段
２１    スキャンデータ記憶制御手段
２２    要再スキャンを示すマーカー
２３    スキャンデータ
２４    スキャンミス条件未検知を示すマーカー
２５    再スキャンデータ
２６    排出トレイ指定記憶部
２７    排出トレイ設定手段
２８    排出トレイ指定手段
【図１】
2005268906.tif 000003
【図２】
2005268906.tif 000004
【図３】
2005268906.tif 000005
【図４】
2005268906.tif 000006
【図５】
2005268906.tif 000007
【図６】
2005268906.tif 000008
【図７】
2005268906.tif 000009
【図８】
2005268906.tif 000010
【図９】
2005268906.tif 000011
【図１０】
2005268906.tif 000012
【図１１】
2005268906.tif 000013
【図１２】
2005268906.tif 000014
【図１３】
2005268906.tif 000015
【図１４】
2005268906.tif 000016